(57)【要約】マルチメディアメッセージに含まれるコンテンツアイテムの再送信を制御するシステム及び方法である。前記方法は、メッセージの対象の受信者の識別子と共に、送信者からのコンテンツアイテムを含むメッセージを受信し、透かしの有無を検出するためにコンテンツアイテムを処理し、透かしの欠如が検出された場合に、透かしがコンテンツアイテムに埋め込まれるようにし、及び対象の受信者への透かし入りのコンテンツアイテムを含むメッセージの再送信を許可し、他の場合に、対象の受信者へのコンテンツアイテムを含むメッセージの再送信を制御することを有する。制御は、例えば再送信に対して料金を請求すること、透かし入りのコンテンツアイテムの転送を制限すること、又は再送信を却下することを有しても良い。本発明は、マルチメディアメッセージングサービス(MMS)に関するものである。基本的に、本発明は、受信者に送信する前に、マルチメディアメッセージで送信されるコンテンツを透かしで「タグ付け」することを提案するものである。好ましくは、このようなタグ付けは、システムの蓄積転送構成要素においてなされる。前述のシステムでは、これはMMS120になる。
2005524183.tif 000002
【特許請求の範囲】
【請求項１】
マルチメディアメッセージに含まれるコンテンツアイテムの再送信を制御する方法であって、
−前記メッセージの対象の受信者の識別子と共に、送信者からの前記コンテンツアイテムを有する前記メッセージを受信し、
−透かしの有無を検出するために前記コンテンツアイテムを処理し、
−透かしの欠如が検出された場合に、
−透かしが前記コンテンツアイテムに埋め込まれるようにし、
−前記対象の受信者への前記透かし入りのコンテンツアイテムを有する前記メッセージの再送信を許可し、
他の場合に、前記対象の受信者への前記コンテンツアイテムを有する前記メッセージの再送信を制御すること
を有する方法。
【請求項２】
再送信の制御が、前記対象の受信者への前記透かし入りの前記コンテンツアイテムを有する前記メッセージの再送信を許可し、前記送信者に割り増し価格を課金することを有する、請求項１に記載の方法。
【請求項３】
再送信の制御が、前記対象の受信者への前記透かし入りの前記コンテンツアイテムを有する前記メッセージの再送信を許可し、前記再送信に関する詳細を記録することを有する、請求項１に記載の方法。
【請求項４】
再送信の制御が、前記メッセージの再送信を制限することを有する、請求項１に記載の方法。
【請求項５】
再送信の制限が、前記メッセージの再送信を却下することを有する、請求項４に記載の方法。
【請求項６】
再送信の制限が、前記メッセージの再送信を許可するが、前記コンテンツアイテムの再送信を却下することを有する、請求項４に記載の方法。
【請求項７】
再送信が、前記コンテンツアイテムのプロバイダによる承認による条件付きである、請求項４ないし６のうちのいずれか１項に記載の方法。
【請求項８】
マルチメディアメッセージに含まれるコンテンツアイテムの再送信を制御するように構成されたシステムであって、
−前記メッセージの対象の受信者の識別子と共に、送信者からの前記コンテンツアイテムを有する前記メッセージを受信するための受信手段と、
−透かしの有無を検出するために前記コンテンツアイテムを処理するため、及び条件付き再送信手段に対して透かしの有無を示すための透かし検出手段と、
−透かしの欠如を示す信号を受信した場合に、
−前記コンテンツアイテムに透かしを埋め込むための透かし手段を起動し、
−前記対象の受信者への前記透かし入りのコンテンツアイテムを有する前記メッセージを再送信するための再送信手段を起動し、
他の場合に、前記対象の受信者への前記コンテンツアイテムを有する前記メッセージの再送信を制御するように構成された条件付き再送信手段と
を有するシステム。
【請求項９】
マルチメディアメッセージのコンテンツアイテムを対象の受信者に適合する形式にコード変換するように構成され、請求項８のシステムを有するメディアコード変換システム。
【請求項１０】
プロセッサに請求項１の方法を実行させるように構成されたコンピュータプログラム製品。
【発明の詳細な説明】
【技術分野】
【０００１】
本発明は、マルチメディアメッセージに含まれるコンテンツアイテムの再送信を制御する方法に関するものである。本発明はさらに、マルチメディアメッセージに含まれるコンテンツアイテムの再送信を制御するように構成されたシステムに関するものである。
【背景技術】
【０００２】
マルチメディアメッセージングサービス(MMS)は、ユーザが形式化された文字、画像、音声、及びビデオクリップを有するマルチメディアメッセージを送受信する規格である。MMSメッセージは、(MMS対応)携帯電話又は標準的な電子メールアドレスに送信可能である。送信するエンティティは、例えば携帯電話又はコンピュータ上で動作するアプリケーションであることがある。
【０００３】
図１は、一般的なMMSの人対人(パーソン・トゥ・パーソン)のフローを示している。第１の人は、MMSメッセージを第２の人に送信することを希望している。第１の人は、自分の携帯電話101又は他のMMSユーザエージェントを取得し、メッセージを作成し、メッセージに１つ以上のマルチメディアオブジェクトを入れる。「送信」ボタンを押した後、マルチメディアメッセージ(文字とマルチメディアオブジェクト)は、移動体ネットワーク110上でマルチメディアメッセージングサービスセンタ(MMSC)120に送信される。
【０００４】
移動体ネットワーク110は、例えばGSM、GPRS、UMTS、又は同様のシステムであることがある。マルチメディアメッセージが潜在的に非常に大きくなるにつれて、広帯域移動体ネットワークが好ましくなる。第１の人はまた、インターネットに接続した自分のパーソナルコンピュータでメッセージを作成可能である。メッセージは、その後インターネットでMMSC120に送信される。マルチメディアメッセージを送信する他の方法も、当然のことながら可能である。重要なことは、メッセージは常に受信者に直接送信されるのではなく、MMSC120に送信される、という点である。このアーキテクチャは、蓄積転送メッセージングシステムの一例である。
【０００５】
マルチメディアメッセージは、MMSC120により受信される。MMSC120から、マルチメディアメッセージは対象の受信者(第２の人)に転送される。マルチメディアメッセージは、再度移動体ネットワーク130上で第２の人の携帯電話又は他のユーザエージェント141に送信される。マルチメディアメッセージが到達すると、この携帯電話はコンテンツを処理し、第２の人にメッセージを提示する。当該の２つの移動体ネットワーク110、130は、同じでも良く、異なっても良い。前記の例において、第１の人は、マルチメディアメッセージを送信するアドレスとして第２の人の電話番号を使用している。また第１の人は、第２の人の電子メールアドレスを使用することも可能である。マルチメディアメッセージは、その後MMSC120により第２の人の電子メールボックスに転送され、その電子メールボックスから第２の人は標準的な電子メールクライアントを使用して電子メールを読むことができる。
【０００６】
図２は、一般的なMMSのアプリケーション対人(アプリケーション・トゥ・パーソン)のフローを示している。マルチメディアメッセージングは、当然のことながら人から人に送信されるメッセージに限らない。多数の自動化されたサービスが提供され得る。例えば、携帯電話用の呼び出し音又はロゴを利用可能にする普及したサービスがある。このようなアプリケーションでは、ユーザは自分の携帯電話からサーバに特定の呼び出し音又はロゴの要求を送信可能である。サーバ上のアプリケーション201は、適切な呼び出し音又はロゴを検索し、MMSC120にマルチメディアメッセージとして送信する。メッセージがMMSC120に到達すると、図１を参照して前述したように処理されて転送される。携帯電話141がマルチメディアメッセージを受信すると、呼び出し音又はロゴを抽出する。
【０００７】
呼び出し音及びロゴの配信は、標準的な文字ベースのショートメッセージングサービス(SMS)で既に普及している。しかし、MMSは、より幅広い用途を有する。アプリケーション対人(アプリケーション・トゥ・パーソン)のMMSの潜在的な用途として、（高）価値コンテンツの供給がある。一例は、最新の音楽サンプル又はビデオクリップを供給可能なサービスである。このようなコンテンツの大半は著作権又は他の知的財産権により保護されているため、ユーザはコンテンツのライセンス費用をカバーするようにそのメッセージに対して追加料金を支払う。
【発明の開示】
【発明が解決しようとする課題】
【０００８】
両方の提示されたモデルが結合した場合に問題が生じる。コンテンツに対して支払ったユーザ(アプリケーション対人(アプリケーション・トゥ・パーソン))は、コンテンツを転送するためのライセンス料金を支払うのではなく、メッセージの再送信に対してのみ支払うことにより、このメッセージ(すなわちコンテンツ)を他のユーザ(人対人(パーソン-トゥ-パーソン))に転送可能である。
【課題を解決するための手段】
【０００９】
本発明の目的は、マルチメディアコンテンツの転送を制限又は制御することを可能にすることである。
【００１０】
この目的は、請求項１に記載の方法及び請求項５に記載のシステムにおける本発明により達成される。基本的に、本発明は受信者に送信する前に、マルチメディアメッセージで送信されるコンテンツを透かしで「タグ付け」することを提案するものである。好ましくは、このようなタグ付けは、システムの蓄積転送構成要素で実行される。前述のシステムでは、これはMMSC120になる。
【００１１】
例えばメッセージ全体の再送信を却下すること、又はメッセージの再送信を許可しながらもコンテンツアイテムの再送信を却下することによる転送の制限が、通常は望ましい。その他の選択肢は、コンテンツアイテムの転送を許可し、その転送をトラッキングすることである。コンテンツをトラッキングすることにより、コンテンツの配信に関する有効な情報は、(マーケティング目的で)収集可能であるばかりでなく、このコンテンツの配信を制限するビジネスルールが追加可能である。さらに他の選択肢は、コンテンツアイテムを元々提供するサービスプロバイダと交信し、応答に基づいて転送を許可又は却下することである。
【００１２】
有利な実施例は、従属項に示されている。
【発明を実施するための最良の形態】
【００１３】
本発明の前記及び他の態様は、図面に示された実施例参照して明らかになる。
【００１４】
図面を通じて、同一の参照番号は類似の又は対応する機能を示す。図面に示されたいくつかの機能は、一般的にソフトウェアで実装されるため、ソフトウェアモジュール又はオブジェクトのようなソフトウェアのエンティティを表している。
【００１５】
本発明の好ましい実施例の説明図が、図３に示されている。この実施例においてMMSC120は、透かしシステム130で拡張されており、マルチメディアメッセージの全てのコンテンツは、その透かしシステム130を通過しなければならない。透かしシステム130は、マルチメディアメッセージのコンテンツの種類(例  音声、ビデオ、文字等)を検出し、検出されたコンテンツの種類に適切な透かし機構を選択し、選択された透かし機構を使用して、コンテンツにマーカを埋め込む。好ましくは、マルチメディアメッセージのソースがMMSアプリケーション201である場合にのみ、このことが実行される。このように、ユーザエージェント101により生成されユーザエージェント141に送信されたコンテンツは、影響を受けない。
【００１６】
マーカは、非常に大きくある必要はなく、大量の情報を有する必要はない。後述のことから明らかになるように、最も重要な点は、コンテンツが透かし入りであることを後で決定可能であることである。透かしのコンテンツはそれほど重要ではないが、コンテンツから透かしを除去することは、非常に困難又は不可能でなければならない。ロバスト透かし技術は小さいペイロードを有するが非常に除去が困難であるため、ロバスト透かし技術が最善の選択肢になる。
【００１７】
当然のことながら、透かしのペイロードとして意味のあるコンテンツを追加することは禁止されていない。例えば、透かしに追加されたエンティティの名前、又はマルチメディアメッセージの受信者の識別子が、埋め込み可能である。例えばランダムに番号が選択され、データベースに格納され、プロバイダの識別子に関連付けられることで、MMSアプリケーション201のプロバイダの識別子もまた、埋め込み可能である。
【００１８】
図４に示されるように、MMSC120もまた、透かし検出器を備えている。透かしを追加する前に、マルチメディアメッセージのコンテンツは、透かし検出器410を通過する。マーカが検出された場合、このことはコンテンツがMMSCを以前に通過したことを示している。これは、コンテンツが転送されたことの証明である。従って、このような転送が回避され、又は少なくとも制限され、MMSC120は適切な動作を行うことが可能になる。
【００１９】
最も簡単な動作は、マルチメディアメッセージを転送せずに単純に削除することである。しかし、これはユーザには受け入れられないことがある。通常、メッセージの一部(画像又は呼び出し音)は、転送されたコンテンツを表す。添付の文字メッセージ又は画像のような他の部分は、元のコンテンツである。メッセージに転送部分も存在するため、この元のコンテンツは単純に遮断されるべきではない。MMSC120は、コンテンツのこの転送部分を取り除き、マルチメディアメッセージの残り部分を次に渡す。好ましくは、除去された何らかの部分は、除去されたこととその理由を示すメッセージに取り替えられる。
【００２０】
代替として、コンテンツを転送するのに必要なライセンス料金が計算され得る。このライセンス料金は、情報が利用可能である場合には送信ユーザのアカウントに課金され得る。このことは、一般的な補償金又はライセンス料金を交渉する音楽の権利の情報センタが利用可能であるため、例えば音楽コンテンツで機能することがある。MMSC120はまた、対象の受信者にコンテンツを転送する前に、コンテンツを相対的に低品質のバージョンに変換することがある。このように、対象の受信者は、メッセージとコンテンツを受け取るが、品質が低いため、それほど価値はない。受信者は、MMSアプリケーション201から元のバージョンを自分でダウンロードするように促される。
【００２１】
前記の動作はまた、サービスプロバイダのような第三者にこのコンテンツの配信を報告することを有し得る。配信はプロバイダからの承認により条件付けられることも可能である。プロバイダの識別子がコンテンツアイテムに埋め込まれている場合に、この実施例は、最もよく機能する。
【００２２】
他の例は、転送を許可するが、送信ユーザに割り増し価格を課金することである。移動体ネットワークにおいて、そのような課金を可能にするために、送信ユーザは例えば電話番号を通じて識別可能である。価格情報は、メッセージに添付され、又は別のメッセージで提供され得る。
【００２３】
意味のあるペイロードが透かしに存在する場合には、透かし検出器410はこのペイロードを抽出し、抽出された情報に基づいて適切な動作を行うことができる。例えば、抽出された情報が転送中のコンテンツの最初の受信者(すなわち、図２のMMSアプリケーションサーバからそれを受信した人)を特定する場合には、MMSC120は、傍受したマルチメディアメッセージの送信者の識別子に対してこの識別子を比較し得る。これらの２つの識別子が同じであれば、転送を許可し得る。このように、最初の受信者は、コンテンツを友人に転送可能であるが、友人はその他の人にこのメッセージを転送できない。
【００２４】
代替として、受信者に罰金を請求することができるように、又は受信者がMMSアプリケーションを使用することを遮断するように、コンテンツの最初の受信者を見つけるために識別子が使用され得る。
【００２５】
抽出された情報が透かしを追加したMMSC又は１つ以上のMMSCのオペレータを特定した場合、透かしを追加したMMSCと同じMMSCである場合にはMMSC120はメッセージの転送を許可する。このことにより、同じMMSCのユーザに対してのみ転送が可能になる。
【００２６】
透かしシステム310と、透かし検出器410は、MMSC120に設置された別の装置として、又はMMSC120に接続された別の装置として具体化され得る。例えば、システム310は、MMSアプリケーション201とMMSC120の間に接続されたプロキシとして動作するように設計され、動作をトランスペアレントにすることが可能である。同様に、検出器410は、MMSC120と移動体ネットワーク130の間のプロキシとして設計され得る。装置310と410は１つの単一の装置として具体化され得る。これらはハードウェア又はソフトウェアに全体的に又は部分的に具体化され得る。
【００２７】
図５に概略的に示されるように、MMSC120を動作するエンティティは、メディア媒介システム510を使用してMMSC120で受信ユーザエージェントにコンテンツを最適化する。最適化は、フォーマット(画像について例えばGIFからJPEGへ)やサイズ(映像について例えばCIFからQCIFへ)やビットレート(音声について例えば128kbpsから20kbpsへ)やその他のパラメータの適応又はコード変換であることがある。このメディア媒介システム510はメッセージのマルチメディアコンテンツへのアクセスを有し、それについての認識を有しているため、透かし埋め込み及び検出システム310、410は、好ましくはこのシステム510に配置される。
【００２８】
MMSC120の例示的な実施例が図６に概略的に示されている。MMSC120の機能は、概念的にサーバ部分601と中継部分651に分けられる。簡単に言えば、サーバ部分601は蓄積転送アーキテクチャを提供し、中継部分651はメッセージをコード変換して配信する。
【００２９】
メッセージはサーバ601の受信部分610により受信される。メッセージは、どのように処理されるべきかと、誰に転送されるべきかを検出するように処理される。本発明によると、メッセージのマルチメディアコンテンツが既に転送されているか否かを検出するために、メッセージのコンテンツは透かし検出器310により処理される。その検出が肯定的である場合には、MMSC120は前述のように適切な動作を行う。
【００３０】
メッセージの転送が受け入れられる場合には、メッセージが取り得るいくつかの可能なパスが存在する。通常ではメッセージは中継器651に渡される。中継器651は、透かし埋め込み器410と、メッセージを受信者による処理に適した形式にコード変換するメディア媒介システム510とを有する。次に、メッセージは移動体ネットワーク130に渡され、それにより対象の受信者に配信され得る。
【００３１】
メッセージはまた、インターネットのようなネットワーク621に接続されたSMTPインタフェー620に渡され得る。このインタフェースは、インターネット電子メール標準に従ってマルチメディアメッセージを形式化し、インターネット電子メールメッセージとしてメッセージを対象の受信者に転送する。SMTPインタフェース620は、転送前にマルチメディアメッセージに透かしを埋め込んでも良く、埋め込まなくても良い。SMTPインタフェース620がコンテンツに透かしを入れた場合には、MMSネットワークを介してその結果の電子メールメッセージをその他の受信者に更に転送することが不可能になる。しかし、インターネット電子メールネットワークは厳しく規制されていないため、電子メールネットワーク自体で転送の制限を実施することは非常に困難である。
【００３２】
受信者がマルチメディアメッセージの送信者と同じ移動体ネットワークにない場合には、中継器は、対象の受信者にメッセージ自体を転送することができない。この場合、サーバは正しい移動体ネットワークに接続されているMMSC630にメッセージを渡す。マルチメディアメッセージを対象の受信者に転送する前に適切な透かしを埋め込むことは、前記のその他のMMSC630の役割である。
【００３３】
透かし検出器410はまた、MMSC120の中継部分651に配置されることがある。このことは、検出器410と埋め込み器310が例えば単一の装置として具体化され得るという利点を有する。しかし、特定のマルチメディアメッセージが本発明による透かし検出器を有さないその他のMMSCに渡される場合、コンテンツが複数回転送されるという許可されていないリスクが存在する。
【００３４】
透かしの埋め込みはまた、コード変換モジュール510の一部として実装されることがある。MMSアプリケーションからMMSCにより受信されたコンテンツは、しばしば相対的に高品質である。(例えば低解像度のディスプレイ、低品質のスピーカ又はヘッドホンの理由で)ほとんどの移動体装置はそのような高品質のコンテンツを直接処理することができないため、移動体装置に適したフォーマットへのコード変換が必要になる。
【００３５】
コード変換の透かし埋め込み部分を作ることにより、コード変換に関連する破壊動作から透かしが残存することを確保できる。例えば、TIFFフォーマットの24ビットの画像が8ビットのグレースケールのGIF画像に変換される場合には、元の画像の色彩成分に埋め込まれた透かしは、大幅に変形され得る。しかし、透かしが8ビットのグレースケールへの変換の後であってGIFフォーマットへの圧縮の前に埋め込まれると、最終的な画像に正しく透かしが入る。
【００３６】
コード変換モジュール510の機能は、フォーマットやサイズやビットレート等の変換のみより更に拡張され得る。例えば、MMSアプリケーションとのインタフェースが提供されることがある。このように、例えばMMSアプリケーションは、ある特定の移動体装置に特に適したコンテンツを動的に生成することが可能になる。
【００３７】
留意すべき点は、前述の実施例は本発明を限定するものではなく、説明するものである。当業者は特許請求の範囲を逸脱することなく、多数の代替の実施例を設計することが可能であろう。当然のことながら、本発明は前述のMMSシステムだけではなく、如何なる蓄積転送にも適用可能である。例えば、透かし埋め込み器310と検出器410は、ユーザエージェント101、141に組み込まれることがある。
【００３８】
例えば、本発明による透かし検出及び埋め込み機能をインターネット又はイントラネットの電子メールサーバシステムに実装することも可能である。このように、電子メールメッセージはマルチメディアコンテンツを無限に転送するために使用され得ない。電子メールの添付のコンテンツの分析は既にアンチウィルスソフトウェアにより行われており、同様の手法が添付の透かし検出を実装するために使用され得る。
【００３９】
特許請求の範囲において、括弧の間にある如何なる参照記号も、特許請求の範囲を限定するものとして解釈されるべきではない。“有する”という用語は、特許請求の範囲に記載されたもの以外の要素又はステップの存在を除外するものではない。要素の前の“１つ”という用語は、そのような要素の複数の存在を除外するものではない。本発明は、いくつかの別個の要素を有するハードウェアにより、及び適切にプログラムされたコンピュータにより実装され得る。
【００４０】
いくつかの手段が記載された装置の請求項において、これらの手段のいくつかは同一のハードウェアのアイテムに具体化され得る。特定の手段が相互に異なる従属項に記載されているという事実は、これらの手段の組み合わせが有利に使用できないことを示すものではない。
【図面の簡単な説明】
【００４１】
【図１】ユーザからのメッセージがMMSCを介して他のユーザに渡されるマルチメディアメッセージングシステムを概略的に示したものである。
【図２】アプリケーションからのメッセージがMMSCを介してユーザに渡されるマルチメディアメッセージングシステムを概略的に示したものである。
【図３】透かし埋め込み器がMMSCに追加されている本発明の好ましい実施例を概略的に示したものである。
【図４】透かし検出器がMMSCに追加されている本発明の好ましい実施例を概略的に示したものである。
【図５】MMSCに結合されたメディア媒介システムを概略的に示したものである。
【図６】MMSCの実施例を概略的に示したものである。
【図１】
2005524183.tif 000003
【図２】
2005524183.tif 000004
【図３】
2005524183.tif 000005
【図４】
2005524183.tif 000006
【図５】
2005524183.tif 000007
【図６】
2005524183.tif 000008
【手続補正書】
【提出日】平成16年11月12日(2004.11.12)
【手続補正１】
【補正対象書類名】特許請求の範囲
【補正対象項目名】全文
【補正方法】変更
【補正の内容】
【特許請求の範囲】
【請求項１】
マルチメディアメッセージに含まれるコンテンツアイテムの再送信を制御する方法であって、前記メッセージはプロバイダから前記コンテンツアイテムを受信した送信者から生じ、
−前記メッセージの対象の受信者の識別子と共に、前記送信者からの前記コンテンツアイテムを有する前記メッセージを受信し、
−透かしの有無を検出するために前記コンテンツアイテムを処理し、
−透かしの欠如が検出された場合に、
−透かしが前記コンテンツアイテムに埋め込まれるようにし、
−前記対象の受信者への前記透かし入りのコンテンツアイテムを有する前記メッセージの再送信を許可し、
他の場合に、前記対象の受信者への前記コンテンツアイテムを有する前記メッセージの再送信を制御すること
を有する方法。
【請求項２】
再送信の制御が、前記対象の受信者への前記透かし入りの前記コンテンツアイテムを有する前記メッセージの再送信を許可し、前記送信者に割り増し価格を課金することを有する、請求項１に記載の方法。
【請求項３】
再送信の制御が、前記対象の受信者への前記透かし入りの前記コンテンツアイテムを有する前記メッセージの再送信を許可し、前記再送信に関する詳細を記録することを有する、請求項１に記載の方法。
【請求項４】
再送信の制御が、前記メッセージの再送信を制限することを有する、請求項１に記載の方法。
【請求項５】
再送信の制限が、前記メッセージの再送信を却下することを有する、請求項４に記載の方法。
【請求項６】
再送信の制限が、前記メッセージの再送信を許可するが、前記コンテンツアイテムの再送信を却下することを有する、請求項４に記載の方法。
【請求項７】
再送信が、前記コンテンツアイテムのプロバイダによる承認による条件付きである、請求項４ないし６のうちのいずれか１項に記載の方法。
【請求項８】
マルチメディアメッセージに含まれるコンテンツアイテムの再送信を制御するように構成されたシステムであって、前記メッセージはプロバイダから前記コンテンツアイテムを受信した送信者から生じ、
−前記メッセージの対象の受信者の識別子と共に、前記送信者からの前記コンテンツアイテムを有する前記メッセージを受信するための受信手段と、
−透かしの有無を検出するために前記コンテンツアイテムを処理するため、及び条件付き再送信手段に対して透かしの有無を示すための透かし検出手段と、
−透かしの欠如を示す信号を受信した場合に、
−前記コンテンツアイテムに透かしを埋め込むための透かし手段を起動し、
−前記対象の受信者への前記透かし入りのコンテンツアイテムを有する前記メッセージを再送信するための再送信手段を起動し、
他の場合に、前記対象の受信者への前記コンテンツアイテムを有する前記メッセージの再送信を制御するように構成された条件付き再送信手段と
を有するシステム。
【請求項９】
マルチメディアメッセージのコンテンツアイテムを対象の受信者に適合する形式にコード変換するように構成され、請求項８のシステムを有するメディアコード変換システム。
【請求項１０】
プロセッサに請求項１の方法を実行させるように構成されたコンピュータプログラム製品。
【国際調査報告】
2005524183.tif 000009
2005524183.tif 000010
2005524183.tif 000011